(57)【要約】【課題】  天井に取付けた天レールと床面間に立設した支柱にパネル体を保持してなる間仕切装置の終端及び連結部において、天レール端部を簡単且つ綺麗に処理することができ、更に連結部の天レールの位置決めもできる間仕切装置の天レール端部構造を提供する。【解決手段】  天井に取付けた天レール１と床面間に支柱２を立設し、隣接する支柱間にパネル体３を保持し若しくはパネル体を保持しない間仕切装置の終端及び連結部における天レール端部構造であって、天レール１は上板９の両側に側板１０を垂下した断面略コ字形の金属製であり、天レールの端部に、水平な固定片１３と垂直な化粧板１４を有する正面視倒Ｌ字形のキャップ４を、固定片を上板の下面に重ねて同時に天井にネジ止めして取付け、キャップの化粧板の両側部及び上端部が天キャップの両側板及び上板の端部を突き当て状態で覆う。【選択図】        図２
2009057719.tif 000002
【特許請求の範囲】
【請求項１】
天井に取付けた天レールと床面間に支柱を立設し、隣接する支柱間にパネル体を保持し若しくはパネル体を保持しない間仕切装置の終端及び連結部における天レール端部構造であって、前記天レールは上板の両側に側板を垂下した断面略コ字形の金属製であり、該天レールの端部に、水平な固定片と垂直な化粧板を有する正面視倒Ｌ字形のキャップを、該固定片を上板の下面に重ねて同時に天井にネジ止めして取付け、該キャップの化粧板の両側部及び上端部が前記天キャップの両側板及び上板の端部を突き当て状態で覆うことを特徴とする間仕切装置の天レール端部構造。
【請求項２】
前記キャップは、化粧板の内側面の両側縁に、前記天レールの両側板の端縁を受け入れる係合部を設けるとともに、化粧板の内側面の上縁が固定片よりも上方へ延び、該上縁に前記天レールの上板の端縁を突き当てる凹部を形成してなる請求項１記載の間仕切装置の天レール端部構造。
【請求項３】
前記キャップの化粧板の内側下縁に、前記天レールの両側板間に嵌合する横幅を有する当止部を突設し、前記天レールの端部に上端部を係合した支柱の側面を前記当止部に当接して位置決めしてなる請求項１又は２記載の間仕切装置の天レール端部構造。
【請求項４】
第１天レールの端部の側面に第２天レールの端面を接合してＬ字連結する場合に、第１天レールの端部一側面において、第２天レールを受け入れるために側板と上板の一部を切り欠き、その切欠部に前記第２天レールの端部を接合した際に、該第２天レールの一方の側板の端縁を、前記第１天レールの端部に取付けた前記キャップの当止部の側端部と化粧板の側縁部に当接して位置決めしてなる請求項３記載の間仕切装置の天レール端部構造。
【発明の詳細な説明】
【技術分野】
【０００１】
本発明は、間仕切装置の天レール端部構造に係わり、更に詳しくは間仕切装置の終端及び連結部における天レール端部を処理するための構造に関するものである。
【背景技術】
【０００２】
従来から天井に取付けた天レールと床面に敷設した地レールとの間に、適宜間隔で支柱を立設し、隣接する支柱間の表又は表裏両面にパネル板を取付け、あるいは隣接する支柱間にパネル体を保持する構造の間仕切装置は各種提供されている。また、地レールを省略して支柱を直接床面に固定する構造の間仕切装置もある。そして、この種の間仕切装置は、レイアウトに応じて端部が終端となったり、直線連結、Ｌ字連結、Ｔ字連結若しくは十字連結等によって次々に連結して区画するのである。
【０００３】
この場合、天レールは、アルミ押し出し型材を用いることが多く、適宜な長さに切断して使用することが一般的である。その場合、終端となる天レールでは、アルミ押し出し型材を切断した端部を、切りっ放しでおく場合もあるが、側面部を残して切断し、残した側面部を折り曲げて開口端を閉じる方法（箱折）が取られている。また、Ｌ字連結の場合には、型材の端部を４５度に斜めカットし、切断面を突き合わせて端部を隠す方法も取られている。
【０００４】
しかし、施工現場でアルミ押し出し型材の端部を加工することは、施工に手間がかかるばかりでなく、作業者の熟練の度合いによって仕上がり具合が異なるといった問題があることは避けられない。
【０００５】
また、特許文献１、２に示すように、天井まで至らないローパーティションでは、一般的に天レールの代わりに笠木を設けているが、終端あるいは連結部では笠木の端部に合成樹脂製あるいはアルミダイキャスト製のキャップ若しくは連結部材を嵌着して、笠木の端部を隠すことが多い。
【特許文献１】特開平７−２９２８１１号公報
【特許文献２】実開平４−８４５１１号公報
【発明の開示】
【発明が解決しようとする課題】
【０００６】
そこで、本発明が前述の状況に鑑み、解決しようとするところは、天井に取付けた天レールと床面間に立設した支柱にパネル体を保持してなる間仕切装置の終端及び連結部において、天レール端部を簡単且つ綺麗に処理することができ、更に連結部の天レールの位置決めもできる間仕切装置の天レール端部構造を提供する点にある。
【課題を解決するための手段】
【０００７】
本発明は、前述の課題解決のために、天井に取付けた天レールと床面間に支柱を立設し、隣接する支柱間にパネル体を保持し若しくはパネル体を保持しない間仕切装置の終端及び連結部における天レール端部構造であって、前記天レールは上板の両側に側板を垂下した断面略コ字形の金属製であり、該天レールの端部に、水平な固定片と垂直な化粧板を有する正面視倒Ｌ字形のキャップを、該固定片を上板の下面に重ねて同時に天井にネジ止めして取付け、該キャップの化粧板の両側部及び上端部が前記天キャップの両側板及び上板の端部を突き当て状態で覆うことを特徴とする間仕切装置の天レール端部構造を構成した（請求項１）。
【０００８】
ここで、前記キャップは、化粧板の内側面の両側縁に、前記天レールの両側板の端縁を受け入れる係合部を設けるとともに、化粧板の内側面の上縁が固定片よりも上方へ延び、該上縁に前記天レールの上板の端縁を突き当てる凹部を形成してなることが好ましい（請求項２）。
【０００９】
更に、前記キャップの化粧板の内側下縁に、前記天レールの両側板間に嵌合する横幅を有する当止部を突設し、前記天レールの端部に上端部を係合した支柱の側面を前記当止部に当接して位置決めしてなることがより好ましい（請求項３）。
【００１０】
そして、第１天レールの端部の側面に第２天レールの端面を接合してＬ字連結する場合に、第１天レールの端部一側面において、第２天レールを受け入れるために側板と上板の一部を切り欠き、その切欠部に前記第２天レールの端部を接合した際に、該第２天レールの一方の側板の端縁を、前記第１天レールの端部に取付けた前記キャップの当止部の側端部と化粧板の側縁部に当接して位置決めしてなることも好ましい（請求項４）。
【発明の効果】
【００１１】
以上にしてなる請求項１に係る発明の間仕切装置の天レール端部構造は、天レールの端部に、水平な固定片と垂直な化粧板を有する正面視倒Ｌ字形のキャップを、該固定片を上板の下面に重ねて同時に天井にネジ止めして取付けることにより、キャップの化粧板の両側部及び上端部で天キャップの両側板及び上板の端部を突き当て状態で覆うこができるので、天レールの切断端部を隠して外観性を高めるとともに、安全性の向上が図れ、更に天レールの端部処理を短時間で行えるので施工が容易になり、作業者の熟練によらず一定の仕上がり具合となるのである。
【００１２】
請求項２によれば、キャップの化粧板の内側面の両側縁に設けた係合部に、天レールの両側板の端縁を受け入れるので、天レールの側板の端縁を完全に覆い隠すことができるとともに、両側板の広がりを抑制することもでき、また化粧板の内側面の上縁に形成した凹部に天レールの上板の端縁を突き当てるので、上板の端縁も確実に隠すことができる。
【００１３】
請求項３によれば、キャップの化粧板の内側下縁に、天レールの両側板間に嵌合する横幅を有する当止部を突設し、天レールの端部に上端部を係合した支柱の側面を当止部に当接して位置決めするので、支柱を正確な位置に立設保持することができるとともに、当止部に両側板が当接するので、該両側板の内側への変形を抑制することができる。
【００１４】
請求項４によれば、第１天レールの端部の側面に第２天レールの端面を接合してＬ字連結する場合に、第１天レールの端部一側面に形成した切欠部に第２天レールの端部を接合した際に、第２天レールの一方の側板の端縁を、第１天レールの端部に取付けたキャップの当止部の側端部と化粧板の側縁部に当接して位置決めするので、第１天レールに対して第２天レールを正確な位置に接合した状態で取付けることができる。
【発明を実施するための最良の形態】
【００１５】
次に、添付図面に示した実施形態に基づき、本発明を更に詳細に説明する。図１は、本発明に係る間仕切装置の外観図であり、図２〜図５は終端部の処理、図６〜図８はＬ字連結部の処理を示し、図中符号１は天レール、２は支柱、３はパネル板、４はキャップ、５は固定金具をそれぞれ示している。
【００１６】
本発明に係る間仕切装置は、天井Ｓに取付けた天レール１と床面Ｆ間に立設した支柱２，…にパネル体３，…を保持し、前記天レール１の終端、若しくはＬ字連結部の一方の天レール１にキャップ４を装着してその端部処理を行うものである。尚、前記支柱２は内部が中空となっており、床面Ｆに固定金具５をアンカーネジ６で取付け、該固定金具５を支柱２の下端に内嵌して位置決めする。ここで、隣接する支柱２，２間に保持するパネル体３は、不透明のもの以外にガラスのような透明のものを用いることができる。更に、隣接する支柱２，２間にパネル体３を保持しない場合、つまりオープンの場合もある。
【００１７】
施工手順は、先ず天井Ｓに罫書きし、その罫書きに沿って直線状に天レール１，…をアンカーネジ７で固定し、次いで天レール１の終端部にキャップ４を係合させ、アンカーネジ７で天レール１と同時に天井Ｓに取付ける。それから、Ｌ連結部においては、直角に連連結する他の天レール１を、罫書きに沿って天井Ｓに沿わせるとともに、前記キャップ４を基準として位置決めし、同じくアンカーネジ７で取付ける。そして、全天レール１，…の終端部にキャップ４，…を取付けた後、床面Ｆの所定位置に固定金具５，…をアンカーネジ６で固定する。それから支柱２の上端部を天レール１の溝内に挿入して持ち上げてから、下端を前記固体金具５に落とし込んで嵌合保持する。それから、隣接する支柱２，２間にパネル体３を保持しながら順次支柱２を立設していくのである。尚、本発明では、間仕切装置の具体的構造には限定されない。
【００１８】
図１は、Ｌ字連結部を有する間仕切装置の一部を示し、図中左端の支柱２の向こう側（紙面の後方）にパネル体３が連続している。また、図中には、開閉ドア８を有している。また、開閉ドアを設けず、通路を形成する場合等には、直線状に延びてその端部が終端する場合もある。
【００１９】
前記天レール１は、図２に示すように、上板９の両側に側板１０，１０を垂下した断面略コ字形の金属製であり、具体的にはアルミ押し出し型材を適宜長さに切断したものを用いる。また、前記支柱２の内部が中空のアルミ押し出し型材を適宜長さに切断したものを用いる。ここで、支柱２は、単独型材からなる場合と、二つの型材を接合連結して一体化して使用する場合がある。また、支柱２の側面にはパネル体３の側縁を保持する係合溝１１を設けてあり、基本は対抗する２面に係合溝１１，１１を設け、端部に位置する場合には、端部側の係合溝１１に化粧カバー１２を嵌着して溝を塞ぐようにしている。また、Ｌ連結部、Ｔ字連結部に使用する支柱２は、３面に係合溝１１，…を形成したものを用い、Ｌ字連結部に使用する場合には、残った係合溝１１を同様に化粧カバー１２を嵌着して塞ぐのである。
【００２０】
前記キャップ４は、図２及び図３に示すように、水平な固定片１３と垂直な化粧板１４を有する正面視倒Ｌ字形のアルミダイキャスト製である。尚、前記キャップ４は、合成樹脂で一体成形することも可能である。更に詳しくは、前記キャップ４は、化粧板１４の内側面の両側縁に、前記天レール１の両側板１０，１０の端縁を受け入れる係合部１５，１５を設けるとともに、化粧板１４の内側面の上縁が固定片１３よりも上方へ延び、該上縁に前記天レール１の上板９の端縁を突き当てる凹部１６を形成し、更に化粧板１４の内側下縁に、前記天レール１の両側板１０，１０間に嵌合する横幅を有する当止部１７を突設し、前記天レール１の端部に上端部を係合した支柱２の側面を前記当止部１７に当接して位置決めするようになっている。
【００２１】
ここで、前記係合部１５は、前記化粧板１４の内面側の両側縁に突縁１８，１８を突設して形成し、また該突縁１８，１８と化粧板１４の内面とで前記凹部１６を形成している。また、前記固定片１３の横幅は、化粧板１４の横幅よりも狭いことは当然であるが、前記突縁１８と固定片１３の側縁との間に、前記天レール１の側板１０を受け入れることができるように設定している。本実施形態では、前記固定片１３の基端部と当止部１７の横幅は同じで、前記突縁１８との間に係合部１５が形成される。また、前記固定片１３には、アンカーネジ７を挿通する通孔１９，１９を形成し、前記天レール１の上板９の対応する位置にも取付孔２０，２０を穿設している。この天レール１は、施工現場で所定長さに切断するとともに、所定位置に取付孔２０，２０を穿設する。
【００２２】
図４及び図５に示すように、前記天レール１の端部から前記キャップ４の固定片１３を両側板１０，１０間に挿入し、該固定片１３を上板９の下面に当接するとともに、両係合部１５，１５に両側板１０，１０の端縁を受け入れて嵌合し、凹部１６に上板９の端縁を受け入れて当止し、その状態で通孔１９，１９と取付孔２０，２０にアンカーネジ７，７を挿入して天井Ｓに螺合して同時に取付ける。この取付状態では、前記天レール１の両側板１０，１０の端部は、係合部１５，１５に係合し、つまり突縁１８と固定片１３の基部と当止部１７の端部との間に保持され、内外への変位を完全に規制している。また、天レール１の端部は前記化粧板１４の周縁部で完全に隠れているので、型材を切りっ放しの状態でも切断面が露出しないので、外観性に優れるとともに、安全性も高くなるのである。
【００２３】
そして、前記支柱１の上端部を天レール１の両側板１０，１０間に挿入し、下端を前記固定金具５で保持した状態で、該支柱２の上端部の側面を前記キャップ４の当止部１７に当接させて位置決めするのである。
【００２４】
次に、図６〜図８に基づいて、Ｌ字連結部の構造を説明する。第１天レール１Ａの端部の側面に第２天レール１Ｂの端面を接合してＬ字連結するものとする。この場合、第１天レール１Ａの端部一側面において、第２天レール１Ｂを受け入れるために側板１０と上板９の一部を切り欠き、その切欠部２１に前記第２天レール１Ｂの端部を接合する。ここで、前記第１天レール１Ａの端部には、前記キャップ４が前述のように取付けてある。前記第１天レール１Ａの切欠部２１に前記第２天レール１Ｂの端部を接合すると同時に、該第２天レール１Ｂの一方の側板１０の端縁を、前記第１天レール１Ａの端部に取付けた前記キャップ４の当止部１７の側端部と化粧板１４の側縁部、即ち突縁１８に当接して位置決めした状態で、前記同様にアンカーネジ６，…で天井Ｓに第２天レール１Ｂを取付けるのである。
【００２５】
そして、前記同様に第１天レール１Ａの両側板１０，１０間に前記支柱１の上端部を挿入し、下端を前記固定金具５で保持した状態で、該支柱２の上端部の側面を前記キャップ４の当止部１７に当接させて位置決めする。この状態で前記支柱２は、前記第２天レール１Ｂの両側板１０，１０の延長面内に正確に位置するので、該支柱２の一側面の係合溝１１を用いて、第２天レール１Ｂの方向にパネル体３を正確に取付けることができる。
【図面の簡単な説明】
【００２６】
【図１】本発明に係る間仕切装置の一部を示す正面図である。
【図２】直線状終端における構造を示す部分分解斜視図である。
【図３】キャップを示し、（ａ）は斜視図、（ｂ）は下方から見た斜視図、（ｃ）は断面図である。
【図４】天レールの端部にキャップを取付け、支柱を支持した状態の部分平面図である。
【図５】同じく部分縦断正面図である。
【図６】Ｌ字連結部における構造を示す部分分解斜視図である。
【図７】一方の天レールの端部にキャップを取付け、支柱を支持するとともに、他方の天レールを連設した状態の部分平面図である。
【図８】同じく部分縦断正面図である。
【符号の説明】
【００２７】
１、１Ａ、１Ｂ  天レール
２  支柱
３  パネル体
４  キャップ
６  アンカーネジ
７  アンカーネジ
８  開閉ドア
９  上板
１０  側板
１１  係合溝
１２  化粧カバー
１３  固定片
１４  化粧板
１５  係合部
１６  凹部
１７  当止部
１８  突縁
１９  通孔
２０  取付孔
２１  切欠部
Ｓ  天井
Ｆ  床面
【図１】
2009057719.tif 000003
【図２】
2009057719.tif 000004
【図３】
2009057719.tif 000005
【図４】
2009057719.tif 000006
【図５】
2009057719.tif 000007
【図６】
2009057719.tif 000008
【図７】
2009057719.tif 000009
【図８】
2009057719.tif 000010